【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）において、第１の送信時間インターバル（ＴＴＩ）に基づいてリソースの第１のセット上で第１の通信を受信することと、
前記ＵＥにおいて、第２のＴＴＩに基づいてリソースの第２のセット上で第２の通信を受信することと、ここにおいて、前記第２のＴＴＩは前記第１のＴＴＩより小さく、リソースの前記第２のセットはリソースの共通のセットを規定するリソースの前記第１のセットとオーバーラップする、および、
前記ＵＥにおいて、前記リソース上の前記通信のタイプに少なくとも部分的に基づく、前記ＵＥにおいて構成される１つまたは複数のルールに基づいて、前記第２の通信よりも前記第１の通信の復号を優先させるかどうかを決定することと、を備える方法。
【請求項２】
少なくとも１つのダウンリンク制御チャネルを受信することに少なくとも部分的に基づいて、リソースの前記第２のセットまたはリソースの前記第１のセットのうちの少なくとも１つを決定することをさらに備える、請求項１に記載の方法。
【請求項３】
優先させるかどうかを決定することは、リソースの前記第１のセットがブロードキャスト・データを通信するためのリソースに対応することを決定することに少なくとも部分的に基づいて、前記第１の通信の復号を優先させることを決定することを備える、請求項１に記載の方法。
【請求項４】
優先させるかどうかを決定することは、リソースの前記共通のセットの少なくとも一部分が少なくとも１つの復調基準信号（ＤＭ−ＲＳ）に対応することを決定することに少なくとも部分的に基づいて、前記第１の通信の復号を優先させることを決定することを備える、請求項１に記載の方法。
【請求項５】
優先させるかどうかを決定することは、
前記少なくとも１つのＤＭ−ＲＳに対応するリソースの前記共通のセットの少なくとも前記一部分上での前記第１の通信の復号を優先させることを決定することと、および、
リソースの前記共通のセットの残りの部分上での前記第２の通信の復号を優先させることを決定することと、を備える、請求項４に記載の方法。
【請求項６】
リソースの前記共通のセットの少なくとも前記一部分が前記少なくとも１つのＤＭ−ＲＳに対応することを決定することは、ダウンリンク制御チャネル上で受信されるＤＭ−ＲＳ構成に少なくとも部分的に基づく、請求項４に記載の方法。
【請求項７】
優先させるかどうかを決定することは、リソースの前記共通のセットが復調基準信号（ＤＭ−ＲＳ）に対応するリソースを含まないことを決定することに少なくとも部分的に基づいて、前記第２の通信の復号を優先させることを決定することを備える、請求項１に記載の方法。
【請求項８】
優先させるかどうかを決定することは、リソースの前記共通のセットの少なくとも一部分が拡張物理ダウンリンク制御チャネルを含むことを決定することに少なくとも部分的に基づいて、前記第１の通信の復号を優先させることを決定することを備える、請求項１に記載の方法。
【請求項９】
優先させるかどうかを決定することは、リソースの前記共通のセットの少なくとも一部分が、少なくとも１つまたは複数の特定の変調およびコーディングスキーム、またはリソース割り当てサイズに対応する共有されたチャネル・データを含むことを決定することに少なくとも部分的に基づいて、前記第１の通信の復号を優先させることを決定することを備える、請求項１に記載の方法。
【請求項１０】
ワイヤレス通信のためのユーザ機器であって、
第１の送信時間インターバル（ＴＴＩ）に基づいてリソースの第１のセット上で第１の通信を受信するための手段と、
第２のＴＴＩに基づいてリソースの第２のセット上で第２の通信を受信するための手段と、ここにおいて、前記第２のＴＴＩは前記第１のＴＴＩより小さく、リソースの前記第２のセットはリソースの共通のセットを規定するリソースの前記第１のセットとオーバーラップする、および、
前記リソース上の前記通信のタイプに少なくとも部分的に基づく、前記ＵＥにおいて構成される１つまたは複数のルールに基づいて、前記第２の通信よりも前記第１の通信の復号を優先させるかどうかを決定するための手段と、
を備える、ユーザ機器。
【請求項１１】
実行されるとコンピュータに請求項１〜９のいずれかによる方法を行わせる命令を備えるコンピュータ可読媒体。
【手続補正２】
【補正対象書類名】明細書
【補正対象項目名】００７４
【補正方法】変更
【補正の内容】
【００７４】
[0081]  先の説明は、いかなる当業者であっても、本明細書で説明されたさまざまな態様を実施することを可能にするために提供される。これらの態様へのさまざまな修正は、当業者にとって容易に明らかとなり、本明細書に定義された包括的な原理は、他の態様に適用され得る。かくして、特許請求の範囲は、本明細書に示された態様に限定されるように意図されてはいないが、特許請求の範囲の文言と一致する全範囲を付与されるべきであり、ここにおいて、単数形での要素への言及は、そうであると具体的に記載されない限り、「１つおよび１つのみ」を意味するようには意図されず、むしろ「１つまたは複数」を意味する。そうでないと具体的に記載されない限り、「いくつかの」という用語は、１つまたは複数を指す。当業者に知られているか、または後に知られることとなる、本明細書に説明されたさまざまな態様の要素と構造的および機能的に同等な物は全て、参照によって本明細書に明確に組み込まれ、特許請求の範囲によって包含されるように意図される。その上、本明細書のどの開示も、そのような開示が特許請求の範囲中に明示的に記載されているかどうかにかかわらず、公に献呈されるようには意図されていない。要素が「〜のための手段」というフレーズを使用して明確に記載されていない限り、どの請求項の要素もミーンズ・プラス・ファンクションとして解釈されるべきではない。
以下に、本願の出願当初の特許請求の範囲に記載された発明を付記する。
［Ｃ１］
ワイヤレス通信の方法であって、
第１の送信時間インターバル（ＴＴＩ）に基づいてリソースの第１のセット上で第１の通信を受信することと、
第２のＴＴＩに基づいてリソースの第２のセット上で第２の通信を受信することと、ここにおいて、前記第２のＴＴＩは前記第１のＴＴＩより小さく、リソースの前記第２のセットはリソースの共通のセットを規定するリソースの前記第１のセットとオーバーラップする、および、
前記第２の通信よりも前記第１の通信の復号を優先させるかどうかを決定することと、を備える方法。
［Ｃ２］
少なくとも１つのダウンリンク制御チャネルを受信することに少なくとも部分的に基づいて、リソースの前記第２のセットまたはリソースの前記第１のセットのうちの少なくとも１つを決定することをさらに備える、Ｃ１に記載の方法。
［Ｃ３］
優先させるかどうかを決定することは、リソースの前記第１のセットがブロードキャスト・データを通信するためのリソースに対応することを決定することに少なくとも部分的に基づいて、前記第１の通信の復号を優先させることを決定することを備える、Ｃ１に記載の方法。
［Ｃ４］
優先させるかどうかを決定することは、リソースの前記共通のセットの少なくとも一部分が少なくとも１つの復調基準信号（ＤＭ−ＲＳ）に対応することを決定することに少なくとも部分的に基づいて、前記第１の通信の復号を優先させることを決定することを備える、Ｃ１に記載の方法。
［Ｃ５］
優先させるかどうかを決定することは、
前記少なくとも１つのＤＭ−ＲＳに対応するリソースの前記共通のセットの少なくとも前記一部分上での前記第１の通信の復号を優先させることを決定することと、および、  リソースの前記共通のセットの残りの部分上での前記第２の通信の復号を優先させることを決定することと、を備える、Ｃ４に記載の方法。
［Ｃ６］
リソースの前記共通のセットの少なくとも前記一部分が前記少なくとも１つのＤＭ−ＲＳに対応することを決定することは、ダウンリンク制御チャネル上で受信されるＤＭ−ＲＳ構成に少なくとも部分的に基づく、Ｃ４に記載の方法。
［Ｃ７］
優先させるかどうかを決定することは、リソースの前記共通のセットが復調基準信号（ＤＭ−ＲＳ）に対応するリソースを含まないことを決定することに少なくとも部分的に基づいて、前記第２の通信の復号を優先させることを決定することを備える、Ｃ１に記載の方法。
［Ｃ８］
優先させるかどうかを決定することは、リソースの前記共通のセットの少なくとも一部分が拡張物理ダウンリンク制御チャネルを含むことを決定することに少なくとも部分的に基づいて、前記第１の通信の復号を優先させることを決定することを備える、Ｃ１に記載の方法。
［Ｃ９］
優先させるかどうかを決定することは、リソースの前記共通のセットの少なくとも一部分が、少なくとも１つまたは複数の特定の変調およびコーディングスキーム、リソース割り当てサイズ、またはレイヤの数に対応する共有されたチャネル・データを含むことを決定することに少なくとも部分的に基づいて、前記第１の通信の復号を優先させることを決定することを備える、Ｃ１に記載の方法。
［Ｃ１０］
ワイヤレス通信のためのユーザ機器であって、
トランシーバと、
ワイヤレス・ネットワークにおいて信号を通信するためにバスを介して前記トランシーバに通信可能に接続された少なくとも１つのプロセッサと、
前記バスを介して前記少なくとも１つのプロセッサおよび／または前記トランシーバに通信可能に結合されたメモリと、を備え、
ここにおいて、前記少なくとも１つのプロセッサおよび前記メモリは、
第１の送信時間インターバル（ＴＴＩ）に基づいてリソースの第１のセット上で第１の通信を、前記トランシーバを介して、受信するように、
第２のＴＴＩに基づいてリソースの第２のセット上で第２の通信を、前記トランシーバを介して、受信するように、ここにおいて、前記第２のＴＴＩは前記第１のＴＴＩより小さく、リソースの前記第２のセットはリソースの共通のセットを規定するリソースの前記第１のセットとオーバーラップする、および、
前記第２の通信よりも前記第１の通信の復号を優先させるかどうかを決定するように、動作可能である、
ユーザ機器。
［Ｃ１１］
前記少なくとも１つのプロセッサおよび前記メモリは、少なくとも１つのダウンリンク制御チャネルを受信することに少なくとも部分的に基づいて、リソースの前記第２のセットまたはリソースの前記第１のセットの少なくとも１つを決定するようにさらに動作可能である、Ｃ１０に記載のユーザ機器。
［Ｃ１２］
前記少なくとも１つのプロセッサおよび前記メモリは、リソースの前記第１のセットがブロードキャスト・データを通信するためのリソースに対応することを決定することに少なくとも部分的に基づいて、前記第１の通信の復号を優先させることを決定するように動作可能である、Ｃ１０に記載のユーザ機器。
［Ｃ１３］
前記少なくとも１つのプロセッサおよび前記メモリは、リソースの前記共通のセットの少なくとも一部分が少なくとも１つの復調基準信号（ＤＭ−ＲＳ）に対応することを決定することに少なくとも部分的に基づいて、前記第１の通信の復号を優先させることを決定するように動作可能である、Ｃ１０に記載のユーザ機器。
［Ｃ１４］
前記少なくとも１つのプロセッサおよび前記メモリは、
前記少なくとも１つのＤＭ−ＲＳに対応するリソースの前記共通のセットの少なくとも前記一部分上で受信された前記第１の通信の復号を優先させることを決定するように、および、
リソースの前記共通のセットの残りの部分上での前記第２の通信の復号を優先させることを決定するように、動作可能である、Ｃ１３に記載のユーザ機器。
［Ｃ１５］
前記少なくとも１つのプロセッサおよび前記メモリは、ダウンリンク制御チャネル上で受信されるＤＭ−ＲＳ構成に少なくとも部分的に基づいて、リソースの前記共通のセットの少なくとも前記一部分が前記少なくとも１つのＤＭ−ＲＳに対応することを決定するように動作可能である、Ｃ１３に記載のユーザ機器。
［Ｃ１６］
前記少なくとも１つのプロセッサおよび前記メモリは、リソースの前記共通のセットが復調基準信号（ＤＭ−ＲＳ）に対応するリソースを含まないことを決定することに少なくとも部分的に基づいて、前記第２の通信の復号を優先させることを決定するように動作可能である、Ｃ１０に記載のユーザ機器。
［Ｃ１７］
前記少なくとも１つのプロセッサおよび前記メモリは、リソースの前記共通のセットの少なくとも一部分が拡張物理ダウンリンク制御チャネルを含むことを決定することに少なくとも部分的に基づいて前記第１の通信の復号を優先させることを決定するように動作可能である、Ｃ１０に記載のユーザ機器。
［Ｃ１８］
前記少なくとも１つのプロセッサおよび前記メモリは、リソースの前記共通のセットの少なくとも一部分が、少なくとも１つまたは複数の特定の変調およびコーディングスキーム、リソース割り当てサイズ、またはレイヤの数に対応する共有されたチャネル・データを含むことを決定することに少なくとも部分的に基づいて、リソースの前記共通のセット上で受信される複数の通信を復号するときに前記第１の通信の復号を優先させることを決定するように動作可能である、Ｃ１０に記載のユーザ機器。
［Ｃ１９］
ワイヤレス通信の方法であって、
第１の送信時間インターバル（ＴＴＩ）にしたがって第１の通信を送信するためにリソースの第１のセットを割り当てることと、
第２のＴＴＩにしたがって第２の通信を送信するためにリソースの第２のセットを割り当てることと、ここにおいて、前記第２のＴＴＩは第１のＴＴＩより小さい、
ダウンリンク制御チャネル上でリソースの前記第１のセットに対応する第１のリソース・グラントを送信することと、および、
前記ダウンリンク制御チャネル上でリソースの前記第２のセットに対応する第２のリソース・グラントを送信することと、を備える方法。
［Ｃ２０］
ユーザ機器にリソースの前記第１のセットの少なくとも一部分に関連したリソースの使用不能を示すことをさらに備える、Ｃ１９に記載の方法。
［Ｃ２１］
リソースの前記第２のセットを割り当てることは、リソースの前記第１のセットに対応する、１つまたは複数のチャネルのレイヤの数、リソース割り当てサイズ、または変調およびコーディングスキームのうちの少なくとも１つに少なくとも部分的に基づいて、リソースの前記第１のセットに部分的にオーバーラップするようにリソースの前記第２のセットを割り当てることを備える、Ｃ１９に記載の方法。
［Ｃ２２］
リソースの前記第２のセットがリソースの前記第１のセットとオーバーラップすることを決定することに少なくとも部分的に基づいて、リソースの前記第１のセットにおいて１つまたは複数の復調基準信号リソース要素の周りでレート・マッチするかどうかを、ユーザ機器に、示すことをさらに備える、Ｃ１９に記載の方法。
［Ｃ２３］
リソースの前記第２のセットを割り当てることは、１つまたは複数の復調基準信号に対応するリソースの前記第１のセットの一部分においてリソースの前記第１のセットとオーバーラップするのを防ぐようにリソースの前記第２のセットを割り当てることを備える、Ｃ１９に記載の方法。
［Ｃ２４］
前記第１のリソース・グラントにしたがって前記第１の通信を送信することをさらに備え、ここにおいて、リソースの前記第２のセットは前記第１の通信の送信の間に割り当てられる、Ｃ１９に記載の方法。
［Ｃ２５］
ワイヤレス通信のための発展型ノードＢ（ｅＮＢ）であって、
トランシーバと、
ワイヤレス・ネットワークにおいて信号を通信するために、バスを介して、前記トランシーバに通信可能に接続された少なくとも１つのプロセッサと、および、
前記バスを介して前記少なくとも１つのプロセッサおよび／または前記トランシーバに通信可能に接続されたメモリと、を備え、
ここにおいて、前記少なくとも１つのプロセッサおよび前記メモリは、
第１の送信時間インターバル（ＴＴＩ）にしたがって第１の通信を送信するためにリソースの第１のセットを割り当てるように、
第２のＴＴＩにしたがって第２の通信を送信するためにリソースの第２のセットを割り当てるように、ここにおいて、前記第２のＴＴＩは前記第１のＴＴＩより小さい、
ダウンリンク制御チャネル上でリソースの前記第１のセットに対応する第１のリソース・グラントを、前記トランシーバを介して、送信するように、および、
前記ダウンリンク制御チャネル上でリソースの前記第２のセットに対応する第２のリソース・グラントを、前記トランシーバを介して、送信するように、動作可能である、ｅＮＢ。
［Ｃ２６］
前記少なくとも１つのプロセッサおよび前記メモリは、ユーザ機器にリソースの前記第１のセットの少なくとも一部分に関連したリソースの使用不能を示すようにさらに動作可能である、Ｃ２５に記載のｅＮＢ。
［Ｃ２７］
前記少なくとも１つのプロセッサおよび前記メモリは、リソースの前記第１のセットに対応する、１つまたは複数のチャネルのレイヤの数、リソース割り当てサイズ、または変調およびコーディングスキームのうちの少なくとも１つに少なくとも部分的に基づいて、リソースの前記第１のセットと部分的にオーバーラップするようにリソースの前記第２のセットを割り当てるように動作可能である、Ｃ２５に記載のｅＮＢ。
［Ｃ２８］
前記少なくとも１つのプロセッサおよび前記メモリは、リソースの前記第２のセットがリソースの前記第１のセットとオーバーラップすることを決定することに少なくとも部分的に基づいて、リソースの前記第１のセットにおいて１つまたは複数の復調基準信号リソース要素の周りでレート・マッチするかどうかを、ユーザ機器に、示すようにさらに動作可能である、Ｃ２５に記載のｅＮＢ。
［Ｃ２９］
前記少なくとも１つのプロセッサおよび前記メモリは、１つまたは複数の復調基準信号に対応するリソースの前記第１のセットの一部分においてリソースの前記第１のセットとオーバーラップすることを防ぐようにリソースの前記第２のセットを割り当てるように動作可能である、Ｃ２５に記載のｅＮＢ。
［Ｃ３０］
前記少なくとも１つのプロセッサおよび前記メモリは、前記第１のリソース・グラントにしたがって前記第１の通信を、前記トランシーバを介して、送信するようにさらに動作可能であり、ここにおいて、リソースの前記第２のセットは、前記第１の通信の送信の間に割り当てられる、Ｃ２５に記載のｅＮＢ。